(57)【要約】【課題】高層ビルに配置されたエレベータの乗りかご内を監視するための映像情報を安価に伝送する情報伝送システムを提供する。【解決手段】情報伝送システムは、エレベータの乗りかご（２）内を撮影した映像情報を離れたところに伝送する情報伝送システムにおいて、上記乗りかごに固定されるとともに一方は昇降路（１）の天井（５）に、他方は上記昇降路のピット（７）に向け上記映像情報により変調された赤外線を送信する２個の送信機（６、８）と、一方は上記昇降路の天井に、他方は上記昇降路のピットに固定されるとともに上記乗りかごの方から入射する上記赤外線を受信し且つ映像情報を復調する２個の受信機（９、１０）と、上記２個の受信機からの映像情報の一方だけを出力する入力切替装置（１１）と、を備える。【選択図】図１
2009274786.tif 000002
【特許請求の範囲】
【請求項１】
エレベータの乗りかご内を撮影した映像情報を離れたところに伝送する情報伝送システムにおいて、
上記乗りかごに固定されるとともに一方は昇降路の天井に、他方は昇降路のピットに向け上記映像情報により変調された赤外線を送信する２個の送信機と、
一方は上記昇降路の天井に、他方は上記昇降路のピットに固定されるとともに上記乗りかごの方から入射する上記赤外線を受信し且つ映像情報を復調する２個の受信機と、
上記２個の受信機からの映像情報の一方だけを出力する入力切替装置と、
を備えることを特徴とする情報伝送システム。
【請求項２】
上記入力切替装置は、受信した赤外線を送信した上記送信機との距離の小さい方の上記受信機により受信した映像情報を出力することを特徴とする請求項１に記載の情報伝送システム。
【請求項３】
上記入力切替装置は、受信した赤外線の光束が大きい方の上記受信機により受信した映像情報を出力することを特徴とする請求項１に記載の情報伝送システム。
【発明の詳細な説明】
【技術分野】
【０００１】
この発明は、エレベータのかご内を監視するための映像情報を伝送する情報伝送システムに関するものである。
【背景技術】
【０００２】
空間伝送を用いたエレベータ用情報伝送システムでは、乗りかごの昇降により送信機と受信機の間の距離が変化する。そして、映像情報の正常な送受信を行うため、距離に応じて送信機の送信信号の強度を調整する方法が考案されている（例えば、特許文献１参照）。
【０００３】
【特許文献１】特開２００５−４７６５９号公報
【発明の開示】
【発明が解決しようとする課題】
【０００４】
しかし、上述の方法によっても伝送可能距離は送信機性能に制約される。空間伝送を用いたエレベータ用情報伝送システムを高層ビルに適用すると送信機と受信機との距離が長くなるので、送信機から送出される赤外線のビームが広がり、受信機で受信する赤外線の光束が少なくなる。そのため、小さい径で且つ出力の大きな赤外線のビームを送出できる送信機を備えなければならなくなり、送信機のコストが高くなってしまうという問題がある。
また、送信機から送出される赤外線は乗りかごの揺れなどにより受信機に当たらなくなるため、送信機と受信機との距離に制約が付き、例えば高さが２５０ｍを超えるような超高層のビルに適用することはできないという問題がある。
【０００５】
この発明の目的は、高い高層ビルに配置されたエレベータの乗りかご内を監視するための映像情報を安価に伝送する情報伝送システムを提供することである。
【課題を解決するための手段】
【０００６】
この発明に係る情報伝送システムは、エレベータの乗りかご内を撮影した映像情報を離れたところに伝送する情報伝送システムにおいて、上記乗りかごに固定されるとともに一方は昇降路の天井に、他方は昇降路のピットに向け上記映像情報により変調された赤外線を送信する２個の送信機と、一方は上記昇降路の天井に、他方は上記昇降路のピットに固定されるとともに上記乗りかごの方から入射する上記赤外線を受信し且つ映像情報を復調する２個の受信機と、上記２個の受信機からの映像情報の一方だけを出力する入力切替装置と、を備える。
【発明の効果】
【０００７】
この発明に係る情報伝送システムの効果は、カメラが撮影した映像情報により変調された赤外線を乗りかごから昇降路の天井方向とピット方向とに同時に送り、同時に送った２つの赤外線から復調された映像情報の一方だけを乗りかごの位置に従って出力するようにしているので、映像情報を乗りかごに配置された送信機から昇降路の天井またはピットに配置された受信機に送信するときに必要とする送信機と受信機との通信可能な距離がエレベータの全長の半分以上であればよく、価格の安い情報伝送システムを構築することができることである。
【発明を実施するための最良の形態】
【０００８】
実施の形態１．
図１は、この発明の実施の形態１に係る情報伝送システムが配置されたエレベータの概略図である。
この発明に係るエレベータは、高さが３００ｍを超える超高層ビルに配設されており、昇降路１の全長は２５０ｍであるとして以下説明する。そして、昇降路１内を上下に昇降する乗りかご２と乗りかご２やエレベータの運行を監視および制御するエレベータ監視制御システム３を備える。
【０００９】
この発明の実施の形態１に係る情報伝送システムは、監視領域であるエレベータの乗りかご２内を撮影するカメラ４、乗りかご２に固定されるとともにカメラ４が撮影した映像情報により搬送波である赤外線を変調して昇降路１の天井５に向けて送信する第１の送信機６、乗りかご２に固定されるとともにカメラ４が撮影した映像情報により搬送波である赤外線を変調して昇降路１のピット７に向けて送信する第２の送信機、昇降路１の天井５に固定されるとともに第１の送信機６から送信された赤外線を受信し且つ受信した赤外線から映像情報を復調する第１の受信機９、および、昇降路１のピット７に固定されるとともに第２の送信機８から送信された赤外線を受信し且つ受信した赤外線から映像情報を復調する第２の受信機１０を備える。
【００１０】
また、この発明の実施の形態１に係る情報伝送システムは、第１の受信機９からの映像情報（以下、「第１の映像情報」と称す）と第２の受信機１０からの映像情報（以下、「第２の映像情報」と称す）とが入力されるとともにエレベータ監視制御システム３から得られる位置情報に従って第１の映像情報または第２の映像情報のいずれかを出力する入力切替装置１１、および、入力切替装置１１から出力する映像情報を蓄積するとともに必要に応じて表示する映像モニタ・レコーダ１２を備える。
【００１１】
第１の送信機６と第１の受信機９の対および第２の送信機８と第２の受信機１０の対は、例えば東洋電機株式会社製の空間光映像伝送装置、エレベータ用タイプ「ＳＯＴ−ＡＶ１３０ＰＲＡ」を適用する。カメラ４から入力され、映像モニタ・レコーダ１２に出力される映像情報はＮＴＳＣコンポジット信号として入出力される。第１の送信機６および第２の送信機８に使用されている投光素子は近赤外発光ダイオード、第１の受信機９および第２の受信機１０に使用されている受光素子はＰＩＮフォトダイオードであり、伝送距離は最大１３０ｍである。近赤外線はＦＭ変調される。
【００１２】
エレベータ監視制御システム３から入力切替装置１１に入力される乗りかご２の位置情報は、例えば、最下階に乗りかご２が停車しているときを０ｍとして基準に取り、最上階に乗りかご２が停車しているときの乗りかご２の位置を２５０ｍとする。
入力切替装置１１は、スイッチ１３が備えられ、エレベータ監視制御システム３から乗りかご２の位置が０ｍから１２５ｍ以下にあるとした位置情報を入手したとき第２の映像情報を、乗りかご２の位置が１２５ｍを超え２５０ｍにあるとした位置情報を入手したとき第１の映像情報を映像情報として映像モニタ・レコーダ１２に出力する。
【００１３】
このように乗りかご２から上方と下方とにカメラ４が撮影した映像情報を同時に送り、同時に送った２つの映像情報の一方だけを乗りかご２の位置に従って出力するようにしているので、映像情報を乗りかご２に配置された第１の送信機６および第２の送信機８から昇降路１の天井５またはピット７に配置された第１の受信機９および第２の受信機１０に送信するときに必要とする送信機と受信機との通信可能な距離がエレベータの全長の半分以上であればよく、価格の安い情報伝送システムを構築することができる。
【００１４】
例えば、通信可能な距離が１３０ｍの空間光映像伝送装置の単価が、通信可能な距離が２５０ｍの空間光映像伝送装置の２割程度である場合には、上下方向に同時に送信しても空間光映像伝送装置の価格は４割程度に抑えられる。
【００１５】
また、エレベータの全長が２５０ｍ以上である場合、現在ではこれだけの距離で赤外線を送受信することのできる空間光映像伝送装置がないが、この発明のように昇降路１の高さの半分より低い位置に乗りかご２があるとき第２の送信機８と昇降路１のピット７に配設された第２の受信機１０との間で送受信を行い、昇降路１の高さの半分より高い位置に乗りかご２があるとき第１の送信機６と昇降路１の天井５に配設された第１の受信機９との間で送受信を行えば昇降路１の高さが５００ｍ位までのエレベータにも赤外線通信を適用することができる。
また、実施の形態１では、空間伝送がアナログ方式のＦＭ変調によるとしたが、空間伝送がディジタル方式である形態や、受信機９、１０で受信したアナログ映像信号をディジタル変換して入力切替装置１１へ伝送する形態においてもこの発明の効果が得られる。
【００１６】
実施の形態２．
図２は、この発明の実施の形態２に係る情報伝送システムが配置されたエレベータの概略図である。
この発明の実施の形態２に係る情報伝送システムは、この発明の実施の形態１に係る情報伝送システムと第１の受信機９Ｂ、第２の受信機１０Ｂおよび入力切替装置１１Ｂが異なり、それ以外は同様であるので、同様な部分に同じ符号を付記し説明は省略する。なお、エレベータ監視制御システム３から位置情報を入手しないので、図示を省略してある。
【００１７】
この発明の実施の形態２に係る第１の受信機９Ｂおよび第２の受信機１０Ｂは、この発明の実施の形態１に係る第１の受信機９および第２の受信機１０にそれぞれ受信した赤外線の光束を検知する光束検知器１４が追加されている。そして、第１の受信機９Ｂおよび第２の受信機１０Ｂがそれぞれ受信した赤外線の光束の値は、入力切替装置１１Ｂに送られる。
この発明の実施の形態２に係る入力切替装置１１Ｂは、送られてくる第１の受信機９Ｂおよび第２の受信機１０Ｂがそれぞれ受信した赤外線の光束の値を比較する比較器１５が設けられ、光束の値が大きい方の赤外線から復調された映像情報を映像モニタ・レコーダ１２に送るようにスイッチ１３を制御する。
【００１８】
このように受信した赤外線だけを用いて第１の映像情報または第２の映像情報を選択できるので、エレベータ監視制御システム３から別に乗りかご２の位置情報を入手しなくても良く、情報伝送システムの構成を簡素にすることができる。
【図面の簡単な説明】
【００１９】
【図１】この発明の実施の形態１に係る情報伝送システムが配置されたエレベータの概略図である。
【図２】この発明の実施の形態２に係る情報伝送システムが配置されたエレベータの概略図である。
【符号の説明】
【００２０】
１  昇降路、２  乗りかご、３  エレベータ監視制御システム、４  カメラ、５  （昇降路の）天井、６  第１の送信機、７  ピット、８  第２の送信機、９、９Ｂ  第１の受信機、１０、１０Ｂ  第２の受信機、１１、１１Ｂ  入力切替装置、１２  映像モニタ・レコーダ、１３  スイッチ、１４  光束検知器、１５  比較器。
【図１】
2009274786.tif 000003
【図２】
2009274786.tif 000004